【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
所定の位置にスタッフバイトが挿入されている伝送ストリームデータをランダム化するランダム化部と、
前記ランダム化部から出力されたデータに含まれている前記スタッフバイトを所定の既知（Ｋｎｏｗｎ）のデータに代替するスタッフバイト交換部と、
前記スタッフバイト交換部から出力されたデータに対してパリティを付加するために、ＲＳ符号化を行うＲＳ符号化部と、
前記ＲＳ符号化部から出力されたデータに対してインタリーブを行うインタリーブ部と、
前記インタリーブ部から出力されたデータに対してトレリス符号化を行うトレリス符号化部と、
前記トレリス符号化部のメモリ初期化により変更されたデータに対するパリティを生成し、該生成されたパリティを前記トレリス符号化部に入力するＲＳパリティ生成部と、
前記トレリス符号化部から出力されたデータに対して変調を行い、ＲＦアップ変換を行う変調及びＲＦ部と、
を備え、
前記トレリス符号化部は、前記ＲＳパリティ生成部から生成されたパリティでそれに対応する前記ＲＳ符号化部から付加された前記パリティを代替してトレリス符号化を行い、
前記所定の既知のデータは、前記トレリス符号化部を通過した後の出力が疑似雑音（ｐｓｅｕｄｏ  ｎｏｉｓｅ）と類似したスペクトルを有し、平均ＤＣ（ｄｉｒｅｃｔ  ｃｕｒｒｅｎｔ）値が０に近い性質を有することを特徴とするデジタル放送送信機。
【請求項２】
前記トレリス符号化部は、トレリス符号化を行うためのメモリを備え、前記スタッフバイトが挿入された位置で入力されるデータに対して前記メモリの初期化を行うことを特徴とする請求項１に記載のデジタル放送送信機。
【請求項３】
前記トレリス符号化部は、前記メモリを初期化する値を前記ＲＳパリティ生成部に入力し、前記ＲＳパリティ生成部から生成された前記パリティを受けることを特徴とする請求項２に記載のデジタル放送送信機。
【請求項４】
前記スタッフバイトの挿入位置に対する情報を表す制御信号を生成して、前記トレリス符号化部のメモリ初期化を制御する制御部
をさらに備えることを特徴とする請求項１に記載のデジタル放送送信機。
【請求項５】
前記制御部は、前記スタッフバイト交換部に前記スタッフバイトの位置情報とその位置で代替される既知のデータを送信し、前記ＲＳパリティ生成部に初期化パケットの位置情報を送信することを特徴とする請求項４に記載のデジタル放送送信機。
【請求項６】
前記ＲＳパリティ生成部は、
前記ＲＳ符号化部から出力された初期化領域を含むパケットを一時格納するパケットバッファ
をさらに備えることを特徴とする請求項１に記載のデジタル放送送信機。
【請求項７】
前記パケットバッファは、前記メモリ初期化によって変更されたデータを受けて、一時格納されているデータをアップデートすることを特徴とする請求項６に記載のデジタル放送送信機。
【請求項８】
前記ＲＳパリティ生成部は、
前記トレリス符号化部から出力された初期化シンボルを所定のバイトにマッピングして、前記パケットバッファに出力するバイトマッパと
前記パケットバッファから出力されたデータをＲＳ符号化するＲＳ符号化器と、
前記ＲＳ符号化器の出力を所定のシンボルに変換するシンボルマッパと、
をさらに備えることを特徴とする請求項６に記載のデジタル放送送信機。
【請求項９】
前記スタッフバイトは、前記伝送ストリームの適応フィールドに挿入されることを特徴とする請求項１に記載のデジタル放送送信機。
【請求項１０】
前記伝送ストリームに前記スタッフバイトの位置及び長さに対する情報が所定の位置に挿入されることを特徴とする請求項１に記載のデジタル放送送信機。
【請求項１１】
所定の位置にスタッフバイトが挿入されている伝送ストリームデータをランダム化するランダム化ステップと、
前記ランダム化ステップで出力されたデータに対して前記スタッフバイトを所定の既知のデータに代替するスタッフバイト交換ステップと、
前記スタッフバイト交換ステップで出力されたデータに対してパリティを付加するために、ＲＳ符号化を行うＲＳ符号化ステップと、
前記ＲＳ符号化ステップで出力されたデータに対してインタリーブを行うインタリーブステップと、
前記インタリーブステップで出力されたデータに対してトレリス符号化を行うトレリス符号化ステップと、
前記トレリス符号化ステップのメモリ初期化によって変更されたデータに対するパリティを生成し、該生成されたパリティを前記トレリス符号化ステップに入力するＲＳパリティ生成ステップと、
前記トレリス符号化ステップで出力されたデータに対して変調を行い、ＲＦアップ変換を行うステップと、
を含み、
前記トレリス符号化ステップは、
前記ＲＳパリティ生成ステップで生成されたパリティでそれに対応する前記ＲＳ符号化ステップで付加された前記パリティを代替するステップ、
を含み、
前記所定の既知のデータは、前記トレリス符号化ステップを通過した後の出力が疑似雑音と類似したスペクトルを有し、平均ＤＣ（ｄｉｒｅｃｔ  ｃｕｒｒｅｎｔ）値が０に近い性質を有することを特徴とするデジタル放送送信機のための信号処理方法。
【請求項１２】
前記トレリス符号化ステップは、トレリス符号化を行うために備えられたメモリに対して、前記スタッフバイトが挿入された位置で入力されるデータの開始点で前記メモリの初期化を行うことを特徴とする請求項１１に記載のデジタル放送送信機のための信号処理方法。
【請求項１３】
前記スタッフバイトの挿入位置に対する情報を表す制御信号を生成して、前記トレリス符号化ステップのメモリ初期化を制御する制御ステップ、
をさらに含むことを特徴とする請求項１１に記載のデジタル放送送信機のための信号処理方法。
【請求項１４】
前記制御ステップは、
前記スタッフバイト交換ステップに前記スタッフバイトの位置情報とその位置で代替される既知のデータを送信し、前記ＲＳパリティ生成ステップに初期化パケットの位置情報を送信することを特徴とする請求項１３に記載のデジタル放送送信機のための信号処理方法。
【請求項１５】
前記ＲＳ符号化ステップで出力された初期化領域を含むパケットを一時格納するステップ
をさらに含むことを特徴とする請求項１１に記載のデジタル放送送信機のための信号処理方法。
【請求項１６】
前記格納ステップは、前記トレリス符号化ステップから前記メモリ初期化によって変更されたデータを受けて、一時格納されたデータをアップデートすることを特徴とする請求項１５に記載のデジタル放送送信機のための信号処理方法。
【請求項１７】
前記トレリス符号化ステップで出力された初期化シンボルを所定のバイトにマッピングするステップと、
前記アップデートされた出力データをＲＳ符号化するステップと、
前記ＲＳ符号化された出力を所定のシンボルに変換するシンボルマッピングステップと、
をさらに含むことを特徴とする請求項１６に記載のデジタル放送送信機のための信号処理方法。
【請求項１８】
前記格納ステップからアップデートされた前記データに対してＲＳ符号化を行って、変更されたパリティを生成し、該生成された前記パリティで前記ＲＳ符号化ステップにおいて付加されたパリティを代替するステップ
をさらに含むことを特徴とする請求項１６に記載のデジタル放送送信機のための信号処理方法。
【請求項１９】
前記スタッフバイトは、伝送ストリームの適応フィールドに挿入されることを特徴とする請求項１１に記載のデジタル放送送信機のための信号処理方法。
【請求項２０】
前記伝送ストリームに前記スタッフバイトの位置及び長さに対する情報が所定の位置に挿入されることを特徴とする請求項１１に記載のデジタル放送送信機のための信号処理方法。
【請求項２１】
所定の位置に挿入されたスタッフバイトに所定の既知のデータを挿入して、符号化された信号を受信して復調する復調部と、
復調された前記信号を等化する等化部と、
等化された前記信号のエラーを訂正し復号するビタビ復号化部と、
前記ビタビ復号化部の出力データに対してデインタリーブを行うデインタリーブ部と、
デインタリーブされたデータに対してＲＳ復号化を行うＲＳ復号化部と、
前記ＲＳ復号化部の出力データに対して逆ランダム化を行う逆ランダム化部と、
を備えるデジタル放送受信機。
【請求項２２】
所定のモード信号に応じて、前記既知のデータの区間と値を前記等化部に入力する制御部
をさらに備えることを特徴とする請求項２１に記載のデジタル放送受信機。
【請求項２３】
前記所定のモード信号は、予め定められているか、又は送信機から提供されることを特徴とする請求項２２に記載のデジタル放送受信機。
【請求項２４】
所定の位置にスタッフバイトが挿入された伝送ストリームに対して、前記位置に所定の既知のデータを挿入して符号化された信号を受信して復調する復調ステップと、
復調された前記信号を等化する等化ステップと、
等化された前記信号のエラーを訂正し復号する復号化ステップと、
前記復号化ステップの出力データに対してデインタリーブを行うデインタリーブステップと、
前記デインタリーブステップの出力データに対してＲＳ復号化を行うＲＳ復号化ステップと、
前記ＲＳ復号化ステップの出力データに対して逆ランダム化を行う逆ランダム化ステップと、
を含むデジタル放送受信機のための信号処理方法。
【請求項２５】
所定のモード信号に応じて、前記既知のデータの区間と値が等化ステップに入力されることを特徴とする請求項２４に記載のデジタル放送受信機のための信号処理方法。
【請求項２６】
前記所定のモードは、予め定められているか、又は送信機から提供されることを特徴とする請求項２５に記載のデジタル放送受信機のための信号処理方法。
【請求項２７】
所定の位置に挿入されているスタッフバイトを所定の既知のデータに代替して形成された伝送ストリームを送信するデジタル放送送信機のトレリス符号化器であって、
トレリス符号化を行うためのメモリを備え、前記スタッフバイトが挿入された位置で入力されるデータに対して前記メモリの初期化を行い、
前記所定の既知のデータは、前記トレリス符号化器を通過した後の出力が疑似雑音と類似したスペクトルを有し、平均ＤＣ値が０に近い性質を有することを特徴とするデジタル放送送信機のトレリス符号化器。
【請求項２８】
前記メモリを初期化する値をＲＳパリティ生成部に入力し、前記ＲＳパリティ生成部から生成されたパリティを受けて、それに対応するパリティを代替することを特徴とする請求項２７に記載のデジタル放送送信機のトレリス符号化器。
【請求項２９】
前記メモリの格納値を０にして初期化を行うことを特徴とする請求項２７に記載のデジタル放送送信機のトレリス符号化器。
【請求項３０】
所定の位置にスタッフバイトが挿入されている伝送ストリームデータをランダム化するランダム化部と、
前記ランダム化部から出力されたデータに含まれている前記スタッフバイトを所定の既知のデータに代替するスタッフバイト交換部と、
前記スタッフバイト交換部から出力されたデータに対してパリティを付加するために、ＲＳ符号化を行うＲＳ符号化部と、
前記ＲＳ符号化部から出力されたデータに対してインタリーブを行うインタリーブ部と、
メモリを備え、前記インタリーブ部から出力されたデータに対して前記スタッフバイトが挿入された位置で前記メモリの初期化を行い、トレリス符号化を行うトレリス符号化部と、
前記メモリを初期化する値を受けてパリティを生成し、該生成されたパリティを前記トレリス符号化部に入力するＲＳパリティ生成部と、
前記トレリス符号化部から出力されたデータに対して変調を行い、ＲＦアップ変換を行う変調及びＲＦ部と、を備え、
前記所定の既知のデータは、前記トレリス符号化部を通過した後の出力が疑似雑音と類似したスペクトルを有し、平均ＤＣ値が０に近い性質を有することを特徴とするデジタル放送送信機。
【請求項３１】
前記トレリス符号化部は、
入力されるデータの初期化領域の値と前記メモリを初期化させる値とを排他的論理和（ｅｘｃｕｌｓｉｖｅ  ＯＲ）することを特徴とする請求項３０に記載のデジタル放送送信機。
【請求項３２】
前記ＲＳパリティ生成部は、
前記排他的論理和した値を利用してパリティを生成し、該生成されたパリティとオリジナル入力のパリティとを排他的論理和することを特徴とする請求項３１に記載のデジタル放送送信機。
【請求項３３】
前記トレリス符号化部は、
前記ＲＳパリティ生成部から生成された前記パリティにそれに対応するパリティを代替することを特徴とする請求項３０に記載のデジタル放送送信機。
【請求項３４】
前記スタッフバイトの挿入位置に対する情報を表す制御信号を生成して、前記トレリス符号化部のメモリの初期化を制御する制御部
をさらに備えることを特徴とする請求項３０に記載のデジタル放送送信機。
【請求項３５】
前記制御部は、前記スタッフバイト交換部に前記スタッフバイトの位置情報とその位置で代替される既知のデータを送信し、前記ＲＳパリティ生成部に初期化パケットの位置情報を送信することを特徴とする請求項３４に記載のデジタル放送送信機。
【請求項３６】
前記スタッフバイトは、前記伝送ストリームの適応フィールドに挿入されることを特徴とする請求項３０に記載のデジタル放送送信機。
【請求項３７】
前記伝送ストリームに前記スタッフバイトの位置及び長さに対する情報が所定の位置に挿入されることを特徴とする請求項３０に記載のデジタル放送送信機。
【請求項３８】
所定の位置にスタッフバイトが挿入されている伝送ストリームデータをランダム化するランダム化ステップと、
前記ランダム化ステップで出力されたデータに対して前記スタッフバイトを所定の既知のデータに代替するスタッフバイト交換ステップと、
前記スタッフバイト交換ステップで出力されたデータに対してパリティを付加するために、ＲＳ符号化を行うＲＳ符号化ステップと、
前記ＲＳ符号化ステップで出力されたデータに対してインタリーブを行うインタリーブステップと、
前記インタリーブステップで出力されたデータに対して前記スタッフバイトが挿入された位置でメモリの初期化を行い、トレリス符号化を行うステップと、
前記メモリを初期化する値を受けてパリティを生成し、該生成されたパリティを前記トレリス符号化ステップに入力するＲＳパリティ生成ステップと、
前記トレリス符号化ステップで出力されたデータに対して変調を行い、ＲＦアップ変換を行うステップと、
を含み、
前記所定の既知のデータは、前記トレリス符号化ステップを通過した後の出力が疑似雑音と類似したスペクトルを有し、平均ＤＣ値が０に近い性質を有することを特徴とするデジタル放送送信機のための信号処理方法。
【請求項３９】
前記トレリス符号化ステップは、
入力されたデータの初期化領域の値と前記メモリを初期化させる値とを排他的論理和することを特徴とする請求項３８に記載のデジタル放送送信機のための信号処理方法。
【請求項４０】
前記ＲＳパリティ生成ステップは、
前記排他的論理和した値を利用してパリティを生成し、該生成されたパリティとオリジナル入力のパリティとを排他的論理和することを特徴とする請求項３９に記載のデジタル放送送信機のための信号処理方法。
【請求項４１】
前記スタッフバイトの挿入位置に対する情報を表す制御信号を生成して、前記トレリス符号化ステップのメモリ初期化を制御する制御ステップ
をさらに含むことを特徴とする請求項３８に記載のデジタル放送送信機のための信号処理方法。
【請求項４２】
前記スタッフバイト交換ステップに前記スタッフバイトの位置情報とその位置で代替される既知のデータを送信し、前記ＲＳパリティ生成ステップに初期化パケットの位置情報を送信することを特徴とする請求項４１に記載のデジタル放送送信機のための信号処理方法。
【請求項４３】
前記スタッフバイトは、伝送ストリームの適応フィールドに挿入されることを特徴とする請求項３８に記載のデジタル放送送信機のための信号処理方法。
【請求項４４】
前記伝送ストリームに前記スタッフバイトの位置及び長さに対する情報が所定の位置に挿入されることを特徴とする請求項３８に記載のデジタル放送送信機のための信号処理方法。
【請求項４５】
デジタル放送受信機において、
ストリームを受信するチューナー部と、
前記ストリームを復調する復調部と、及び
前記復調されたストリームを等化する等化部と、
を含み、
前記ストリームは、
内部メモリを初期化し、初期化によって変更された初期化バイトを提供するトレリス符号化器と、
前記初期化作業によって変更された初期化バイトによるパリティを補償するＲＳパリティ生成部と、
を含むデジタル放送送信機から送信されたものであることを特徴とするデジタル放送受信機。
【請求項４６】
前記等化されたストリームを復号化する復号化部と、
前記復号化されたストリームを再整列するデインタリーブ部と、
前記デインタリーブ部で再整列されたストリームをＲＳ復号化するＲＳ復号化部と、
を更に含む請求項４５に記載のデジタル放送受信機。
【請求項４７】
前記ストリーム内に含まれた既知データを前記等化器に提供する制御部
を更に含む請求項４６に記載のデジタル放送受信機。
【請求項４８】
デジタル放送受信機のストリームの処理方法において、
ストリームを受信するステップと、
前記ストリームを復調するステップと、及び
前記復調されたストリームを等化するステップと、
を含み、
前記ストリームは、
内部メモリを初期化し、初期化によって変更された初期化バイトを提供するトレリス符号化器と、
前記初期化作業によって変更された初期化バイトによるパリティを補償するＲＳパリティ生成部と、を含むデジタル放送送信機から送信されたものであることを特徴とするデジタル放送受信機のストリームの処理方法。
【請求項４９】
前記等化されたストリームを復号化するステップと、
前記復号化されたストリームを再整列するステップと、及び
前記再整列されたストリームをＲＳ復号化するステップと、
を更に含む請求項４８に記載のデジタル放送受信機のストリームの処理方法。